(57)【要約】【課題】爪ヤスリを備えた簡易に設計実現可能なニッパー型爪切りを提供すること。【解決手段】挟持切断部１を被覆するキャップ体２の表面に、板状の爪ヤスリ３を設けたニッパー型爪切り。【選択図】図４
0003128215.tif 000002
【実用新案登録請求の範囲】
【請求項１】
挟持切断部を被覆するキャップ体を備えたニッパー型爪切りにおいて、前記キャップ体の表面に板状の爪ヤスリを設けたことを特徴とするニッパー型爪切り。
【請求項２】
前記挟持切断部を前記キャップ体で被覆した際、挟持切断部の上側を被覆するキャップ体の上面部、若しくは挟持切断部の下側を被覆するキャップ体の下面部に、前記板状の爪ヤスリを付設したことを特徴とする請求項１記載のニッパー型爪切り。
【考案の詳細な説明】
【技術分野】
【０００１】
本考案は、爪ヤスリを備えたニッパー型爪切りに関するものである。
【背景技術】
【０００２】
従来から、例えば、特許文献１のようなニッパー型の爪切りが実施されているが、このようなニッパー型爪切りには、爪ヤスリが備えられたものがない。
【０００３】
また、従来、不使用時の安全を考慮して、挟持切断部に被覆できるキャップ体を備えたニッパー型爪切りも実施されている。
【０００４】
【特許文献１】特開２０００−５０９４２号公報
【考案の開示】
【考案が解決しようとする課題】
【０００５】
本出願人は、ニッパー型の爪切りにもヤスリを付けて実用性を向上させたいと考えた。そして、簡単にヤスリを設ける手法はないかと試行錯誤した末、挟持切断部を被覆するキャップ体に板状の爪ヤスリを設けることを着想し、本考案のニッパー型爪切りを完成するに至った。
【０００６】
即ち、本考案は、爪ヤスリを備えた簡易に設計実現可能なニッパー型爪切りを提案するものである。
【課題を解決するための手段】
【０００７】
添付図面を参照して本考案の要旨を説明する。
【０００８】
挟持切断部１を被覆するキャップ体２を備えたニッパー型爪切りにおいて、前記キャップ体２の表面に板状の爪ヤスリ３を設けたことを特徴とするニッパー型爪切りに係るものである。
【０００９】
また、前記挟持切断部１を前記キャップ体２で被覆した際、挟持切断部１の上側を被覆するキャップ体２の上面部、若しくは挟持切断部１の下側を被覆するキャップ体２の下面部に、前記板状の爪ヤスリ３を付設したことを特徴とする請求項１記載のニッパー型爪切りに係るものである。
【考案の効果】
【００１０】
本考案は上述のように構成したから、キャップ体を持って爪ヤスリにより爪のヤスリがけを行うことができるし、挟持切断部にキャップ体を被覆して本案品の握持部を一方の手で握持したままキャップ体表面の爪ヤスリに他方の手の爪を当ててヤスリがけを行うこともでき、しかも、板状の爪ヤスリを採用するため、キャップ体に対して例えば面接着するなどして強固に且つ簡易に付設することができるし、キャップ体の表面から爪ヤスリが大きく突出して邪魔になったり体裁を害したりするようなこともないなど、極めて実用性に秀れたニッパー型爪切りとなる。
【００１１】
また、請求項２記載の考案においては、爪切り後に、爪切りを行った方の手に爪ヤスリを向けて挟持切断部にキャップ体を装着することにより、握持部の握りをこの爪切り時の握りから持ち替えることなく爪切りを行った手の爪を爪ヤスリに当ててヤスリがけすることができるので、このヤスリがけ操作を爪切り操作に続く一連の動作のうちに非常に容易に行うことができる一層実用性に秀れた構成のニッパー型爪切りとなる。
【考案を実施するための最良の形態】
【００１２】
好適と考える本考案の実施形態（考案をどのように実施するか）を、図面に基づいて本考案の作用を示して簡単に説明する。
【００１３】
本考案は、キャップ体２の表面に板状の爪ヤスリ３を設けている。
【００１４】
そのため、キャップ体２を持って爪ヤスリ３により爪をヤスリがけすることができる。
【００１５】
また、例えば、爪切り後に爪を切った方の手（他方の手）で挟持切断部１にキャップ体２を被覆することより、本案品の握持部５を一方の手で握持したまま（爪切り時の握持状態のまま）キャップ体２の爪ヤスリ３に他方の手の爪に当てて簡単に且つ爪切り操作に続く一連の動作のうちにヤスリがけを行うことができる。
【００１６】
また、板状の爪ヤスリ３を採用するため、キャップ体２に対して例えば面接着するなどして強固に且つ簡易に付設することができるし、キャップ体２の表面から爪ヤスリ３が大きく突出して邪魔になったり体裁を害したりするようなこともない。
【００１７】
また、例えば、前記挟持切断部１を前記キャップ体２で被覆した際、挟持切断部１の上側を被覆するキャップ体２の上面部、若しくは挟持切断部１の下側を被覆するキャップ体２の下面部に前記板状の爪ヤスリ３を付設した構成とすれば、爪切り操作は、図３に示すように挟持切断部１の開閉方向が上下方向となるように握持部５を握持して行われるため、この握持状態を保ったまま挟持切断部１にキャップ体２を被覆するだけでキャップ体２の上面部若しくは下面部に設けた爪ヤスリ３を、爪を切った手の方に向けることが容易に行われる。従って、握持部５の握りを爪切り時の握りから持ち替えることなく、爪切りを行った手の爪を爪ヤスリ３に当ててヤスリがけすることができるので、このヤスリがけ操作を非常に行い易くなる。
【実施例】
【００１８】
本考案の具体的な実施例について図面に基づいて説明する。
【００１９】
本実施例のニッパー型爪切りは、図１に示すように、先端に刃部４を備え、基端に握持部５を備え、刃部４と握持部５の中間の刃部４寄り位置に枢着部６を備えた一対の挟持半体７を前記枢着部６で枢着したもので、基端の握持部５を握持する操作に連動して、先端の対向する刃部４（挟持切断部１）が挟持開閉作動する構成としている。
【００２０】
また、握持部５の、夫々の枢着部６寄りの位置間にバネ８を架設状態に設けて、このバネ８が常に挟持切断部１及び握持部５を開放する方向に付勢する構成とし、このバネ８の付勢力に抗して握持部５を握持操作することにより、挟持切断部１を挟持閉塞（切断）状態にできる構成としている。
【００２１】
本実施例では、不使用時（収納時）に前記挟持切断部１に被覆するキャップ体２を設け、このキャップ体２の表面に板状の爪ヤスリ３を設けている。
【００２２】
本実施例のキャップ体２は、図１，図２に示すように、挟持切断部１の上下部（挟持切断部１の挟持開閉方向と直交する方向の上下部）を被覆する上下面が平坦面形状となる形状に形成し、この上下面部のどちらを上にしても挟持切断部１に被覆装着できる構成としている。そして、このキャップ体２の上下面部のいずれか一面に前記板状の爪ヤスリ３を付設した構成としている。
【００２３】
本実施例の爪ヤスリ３は、キャップ体２の長さ（前後幅）寸法よりもやや短い長さの帯板状に形成し、この帯板状の爪ヤスリ３をその長さ方向がキャップ体２の長さ方向（前後方向）に一致するように配置して、爪ヤスリ３の裏面をキャップ体２の上面部若しくは下面部に接着固定している。
【００２４】
更に詳しくは、図２に示すように、キャップ体２の上面部若しくは下面部に爪ヤスリ３の外周縁の形状と略合致する環状形状の凸条環部２Ａを小さく（薄く）突設し、この凸条環部２Ａ内の凹所２Ｂに前記爪ヤスリ３を嵌合して裏面を面接着固定している。
【００２５】
次に、本実施例の具体的な使用方法を、図３，図４に基づいて説明する。尚、図面では、右手でニッパー型爪切りを持ち、左手の爪を切る場合を示しているが、右手の爪を切る場合には、下記の操作を右手と左手を逆にして行えば良い。
【００２６】
先ず、図３に示すように、挟持切断部１の開閉方向が上下方向となるように右手で握持部５を握持して挟持切断部１で左手の爪を切る。
【００２７】
爪切りが終わったら、左手でキャップ体２を掴んで挟持切断部１にかける（挟持切断部１をキャップ体２で被覆する。）。
【００２８】
この際、図４に示すように、キャップ体２の上面部若しくは下面部の爪ヤスリ３が左手方向に臨むこととなるようにキャップ体２の向きを設定して、挟持切断部１にキャップ体２を被覆装着する。
【００２９】
このようにキャップ体２を装着することにより、図３，図４に示すように、爪切りを行うために握持部５を握持していた右手を持ち変えることなく、続けて、キャップ体２表面（上面部若しくは下面部）の左手の方向に臨んでいる爪ヤスリ３で爪にヤスリがけを行うことができる。
【００３０】
このように、本実施例によれば、爪切り操作に続いてニッパー型爪切りを持ち替えることなく一連の動作のうちにヤスリがけを行うことができる。
【００３１】
尚、本考案は、本実施例に限られるものではなく、各構成要件の具体的構成は適宜設計し得るものである。
【図面の簡単な説明】
【００３２】
【図１】本実施例を示すキャップ体を分離した状態の斜視図である。
【図２】本実施例のキャップ体を示す爪ヤスリを分離した状態の説明斜視図である。
【図３】本実施例で爪切りを行った状態を示す説明斜視図である。
【図４】本実施例の挟持切断部にキャップ体を装着し、爪ヤスリで爪にヤスリがけを行った状態を示す説明斜視図である。
【符号の説明】
【００３３】
１  挟持切断部
２  キャップ体
３  爪ヤスリ
【図１】
0003128215.tif 000003
【図２】
0003128215.tif 000004
【図３】
0003128215.tif 000005
【図４】
0003128215.tif 000006